(57)【要約】【課題】出力電圧生成用の基準電圧の温度特性と電圧の異常検出用の基準電圧の温度特性とのずれを抑えることにより、出力電圧の異常検出精度の向上を図る。【解決手段】電源出力装置１０は、出力電圧Ｖａを生成する基準となる出力用基準電圧Ｖｂを生成する出力用基準電圧回路１１と、出力電圧Ｖａの異常を検出するための閾値電圧ＶｃＨ，ＶｃＬを生成する基準となる異常検出用基準電圧Ｖｄを生成する異常検出用基準電圧回路１２と、異常検出用基準電圧Ｖｄの温度特性を出力用基準電圧Ｖｂの温度特性に合わせる調整回路１３と、を備える。【選択図】図１
2017028901.tif 000002
【特許請求の範囲】
【請求項１】
出力電圧を生成する基準となる出力用基準電圧を生成する出力用基準電圧回路（１１）と、
前記出力電圧の異常を検出するための閾値電圧を生成する基準となる異常検出用基準電圧を生成する異常検出用基準電圧回路（１２）と、
前記異常検出用基準電圧の温度特性を前記出力用基準電圧の温度特性に合わせる調整回路（１３）と、
を備えることを特徴とする電源出力装置。
【請求項２】
前記調整回路は、所定の基準温度、前記基準温度よりも低い低温度、前記基準温度よりも高い高温度において、前記出力用基準電圧と前記異常検出用基準電圧との差が等しくなるように前記異常検出用基準電圧を調整することを特徴とする請求項１に記載の電源出力装置。
【請求項３】
所定の基準温度よりも低い低温度における前記出力用基準電圧と前記基準温度よりも高い高温度における前記出力用基準電圧が等しくなるように補正する補正回路（６０）を備えることを特徴とする請求項１または２に記載の電源出力装置。
【請求項４】
前記調整回路は、前記異常検出用基準電圧の温度特性を、補正された前記出力用基準電圧の温度特性に合わせることを特徴とする請求項３に記載の電源出力装置。
【請求項５】
前記調整回路は、抵抗値が固定の固定抵抗部（１８）と抵抗値が可変の可変抵抗部（１９）が直列に接続された分圧回路（１７）を備え、前記固定抵抗部と前記可変抵抗部との接続点の電圧を前記閾値電圧として出力するものであり、前記分圧回路の分圧比を変化させることにより前記閾値電圧を調整することを特徴とする請求項１から４の何れか１項に記載の電源出力装置。
【請求項６】
前記可変抵抗部は、抵抗（２０）とスイッチ（２１）が直列に接続された複数のスイッチ部（２２）を備え、
前記調整回路は、スイッチをオンする前記スイッチ部を選択することにより前記分圧回路の分圧比を変化させることを特徴とする請求項５に記載の電源出力装置。
【請求項７】
温度ごとに規定された複数の設定値を記憶する記憶部（５１）と、
温度を監視する温度モニタ（４０）と、
前記記憶部に記憶されている複数の前記設定値のうち、前記温度モニタから入力される温度に対応する前記設定値を特定する特定部（５２）と、を備え、
前記調整回路は、前記特定部により特定された前記設定値となるように前記閾値電圧を調整することを特徴とする請求項１から６の何れか１項に記載の電源出力装置。
【請求項８】
前記出力電圧と前記閾値電圧を比較するコンパレータ（３１，３２）を備え、
前記調整回路は、前記異常検出用基準電圧の温度特性と前記出力用基準電圧の温度特性とがずれていない場合において前記コンパレータを反転させる理想反転電圧となるように前記閾値電圧を調整することを特徴とする請求項１から７の何れか１項に記載の電源出力装置。
【発明の詳細な説明】
【技術分野】
【０００１】
本発明は、出力電圧生成用および出力電圧の異常検出用の２種類の基準電圧を用いる電源出力装置に関する。
【背景技術】
【０００２】
近年、例えば半導体装置の安全設計の観点などから、出力電圧の異常を精度良く検出して安全な状態に制御することが求められている。そのため、例えば特許文献１に開示されているように、２種類の基準電圧回路を備え、一方の基準電圧回路が生成する基準電圧を出力電圧生成用の基準として、他方の基準電圧回路が生成する基準電圧を電圧の異常検出用の基準として用いる構成が一般的となっている。
【先行技術文献】
【特許文献】
【０００３】
【特許文献１】特開２００３−１５７１１９号公報
【発明の概要】
【発明が解決しようとする課題】
【０００４】
上記構成においては、２種類の基準電圧の温度特性にずれが生じていると、生成される出力電圧がばらついたり、出力電圧の異常を検出するための閾値電圧がばらつく場合がある。このような場合には、出力電圧の異常を精度良く検出することができない。
【０００５】
そこで、本発明は、出力電圧生成用の基準電圧の温度特性と出力電圧の異常検出用の基準電圧の温度特性とのずれを抑えることにより、出力電圧の異常検出精度の向上を図る電源出力装置を提供する。
【課題を解決するための手段】
【０００６】
本発明に係る電源出力装置によれば、出力用基準電圧回路は、出力電圧を生成する基準となる出力用基準電圧を生成する。異常検出用基準電圧回路は、出力電圧の異常を検出するための閾値電圧を生成する基準となる異常検出用基準電圧を生成する。そして、調整回路は、異常検出用基準電圧の温度特性を出力用基準電圧の温度特性に合わせるように調整する。即ち、２種類の基準電圧の温度特性のずれを抑える。
【０００７】
この構成によれば、出力電圧生成用および出力電圧の異常検出用の２種類の基準電圧の温度特性のずれを抑えることにより、生成される出力電圧にばらつきが生じたり、電圧異常検出用の閾値電圧にばらつきが生じたりすることを回避することができる。よって、出力電圧が安定するとともに閾値電圧も安定し、出力電圧の異常検出精度の向上を図ることができる。
【図面の簡単な説明】
【０００８】
【図１】第１実施形態に係る電源出力装置の構成例を示す図
【図２】ダイオードのＶＦ特性の一例を示す図
【図３】出力用基準電圧および異常検出用基準電圧の温度特性の一例を示す図
【図４】基準電圧の調整前における出力電圧、閾値電圧、動作保証範囲の関係を例示する図
【図５】出力用基準電圧の温度特性に対する異常検出用基準電圧の温度特性の調整例を示す図（その１）
【図６】出力用基準電圧の温度特性に対する異常検出用基準電圧の温度特性の調整例を示す図（その２）
【図７】基準電圧の調整後における出力電圧、閾値電圧、動作保証範囲の関係を例示する図
【図８】出力用基準電圧と異常検出用基準電圧とのずれ量を例示する図
【図９】出力用基準電圧の温度特性に対する異常検出用基準電圧の温度特性の調整例を示す図（その３）
【図１０】理想的ではない出力用基準電圧の温度特性を例示する図
【図１１】第３実施形態に係る電源出力装置の構成例を示す図
【図１２】理想的ではない出力用基準電圧の温度特性を理想的な出力基準電圧の温度特性に補正する場合を例示する図
【発明を実施するための形態】
【０００９】
以下、電源出力装置に係る複数の実施形態について図面を参照しながら説明する。なお、各実施形態において実質的に同一の要素には同一の符号を付し、説明を省略する。
（第１実施形態）
図１に例示する電源出力装置１０は、出力用基準電圧回路１１、異常検出用基準電圧回路１２、調整回路１３などを備える。以下、出力用基準電圧回路１１を基準電圧回路１１、異常検出用基準電圧回路１２を基準電圧回路１２と称する。
【００１０】
基準電圧回路１１は、バンドギャップ基準電圧回路として機能するものであり、出力用基準電圧Ｖｂを生成して出力する。出力用基準電圧Ｖｂは、出力電圧Ｖａを生成する基準となる電圧である。この場合、基準電圧回路１１は、１Ｖの出力用基準電圧Ｖｂを出力する。基準電圧回路１１は、生成した出力用基準電圧Ｖｂを電源出力回路１４に出力する。電源出力回路１４は、得られた出力用基準電圧Ｖｂに基づいて出力電圧Ｖａを生成して検査装置１００に出力する。検査装置１００は、例えば電源出力装置１０の製品出荷前などに当該電源出力装置１０を検査する装置である。この場合、電源出力回路１４は、５Ｖの出力電圧Ｖａを出力する。即ち、電源出力回路１４は、１Ｖの出力用基準電圧Ｖｂを、この場合、５倍に増幅して出力電圧Ｖａとする。
【００１１】
基準電圧回路１２は、バンドギャップ基準電圧回路として機能するものであり、異常検出用基準電圧Ｖｄを生成して出力する。異常検出用基準電圧Ｖｄは、出力電圧Ｖａの異常を検出するための閾値電圧Ｖｃを生成する基準となる電圧である。この場合、基準電圧回路１２は、１Ｖの異常検出用基準電圧Ｖｄを出力する。基準電圧回路１２は、生成した異常検出用基準電圧Ｖｄを、閾値電圧回路１５，１６にそれぞれ出力する。閾値電圧回路１５は、得られた異常検出用基準電圧Ｖｄに基づいて閾値電圧ＶｃＨを生成して出力する。閾値電圧ＶｃＨは、出力電圧Ｖａが所定の上限値を超えてしまう異常、つまり、高電圧側の異常を検出するための基準となる電圧である。閾値電圧回路１６は、得られた異常検出用基準電圧Ｖｄに基づいて閾値電圧ＶｃＬを生成して出力する。閾値電圧ＶｃＬは、出力電圧Ｖａが所定の下限値よりも低くなってしまう異常、つまり、低電圧側の異常を検出するための基準となる電圧である。
【００１２】
調整回路１３は、異常検出用基準電圧Ｖｄの温度特性を出力用基準電圧Ｖｂの温度特性に合わせる機能を備える。即ち、調整回路１３の閾値電圧回路１５，１６は、それぞれ、分圧回路１７を備える。分圧回路１７は、抵抗値が固定の固定抵抗部１８と、抵抗値が可変の可変抵抗部１９とが直列に接続された構成である。可変抵抗部１９は、抵抗２０とスイッチ２１が直列に接続された複数のスイッチ部２２を備える。
【００１３】
分圧回路１７は、固定抵抗部１８と可変抵抗部１９との接続点の電圧を閾値電圧Ｖｃとして出力するものである。調整回路１３は、分圧回路１７の分圧比を変化させることにより閾値電圧Ｖｃを調整することが可能である。即ち、調整回路１３は、スイッチ２１をオンするスイッチ部２２を選択することにより分圧回路１７の分圧比を変化させる。なお、各スイッチ部２２の抵抗２０は、同じ抵抗値のものを用いてもよいし、異なる抵抗値のものを用いてもよい。
【００１４】
複数の抵抗２０の抵抗値が同じである構成では、スイッチ２１をオンするスイッチ部２２の数を適宜変更することにより、分圧回路１７の分圧比を精度良く変化させることができる。また、複数の抵抗２０の抵抗値が異なる構成では、スイッチ２１をオンするスイッチ部２２の組み合わせ、つまり、どの抵抗２０を有するスイッチ部２２をオンさせるのかの組み合わせを適宜変更することにより、分圧回路１７の分圧比を精度良く変化させることができる。また、スイッチ２１をオンするスイッチ部２２の数および組み合わせの双方を適宜変更させることにより、分圧回路１７の分圧比を変化させるようにしてもよい。
【００１５】
電源出力装置１０は、さらにコンパレータ３１，３２を備える。コンパレータ３１，３２は、出力電圧Ｖａと閾値電圧Ｖｃとを比較することにより、出力電圧Ｖａの異常を検出する。コンパレータ３１は、出力電圧Ｖａが高電圧となる異常を検出するものである。即ち、電源出力装置１０は、出力電圧Ｖａを検出する出力電圧検出回路３３を備える。出力電圧検出回路３３は、この場合、３つの抵抗３４が直列に接続された構成である。そして、高電圧側の接続点ＰＨの電圧はコンパレータ３１に入力され、低電圧側の接続点ＰＬの電圧はコンパレータ３２に入力される。また、高電圧側のコンパレータ３１には高電圧側の閾値電圧ＶｃＨが入力され、低電圧側のコンパレータ３２には低電圧側の閾値電圧ＶｃＬが入力される。
【００１６】
高電圧側のコンパレータ３１は、高電圧側の接続点ＰＨの電圧が閾値電圧ＶｃＨを超えると反転する。これにより、検査装置１００は、出力電圧Ｖａが高電圧側の閾値電圧ＶｃＨを超える異常が発生したことを検出する。低電圧側のコンパレータ３２は、低電圧側の接続点ＰＬの電圧が閾値電圧ＶｃＬよりも低くなると反転する。これにより、検査装置１００は、出力電圧Ｖａが低電圧側の閾値電圧ＶｃＬよりも低くなる異常が発生したことを検出する。
【００１７】
電源出力装置１０は、さらに温度モニタ４０を備える。温度モニタ４０は、変圧器４１、ダイオード４２、Ａ／Ｄ変換器４３などを備える。温度モニタ４０は、図２に例示するダイオード４２のＶＦ特性、つまり、高温であるほどダイオード４２の順方向電圧：ＶＦがリニアに低下する特性を利用して、電源出力装置１０の環境温度を監視する。環境温度は、電源出力装置１０の周辺の温度である。
【００１８】
ダイオード４２の電圧は、Ａ／Ｄ変換器４３に入力される。Ａ／Ｄ変換器４３は、ダイオード４２の電圧をデジタルデータに変換して出力する。温度モニタ４０は、Ａ／Ｄ変換器４３に代えてコンパレータを備える構成としてもよい。但し、コンパレータでは、「１」または「０」のデータしか出力できないため、温度変化に対し直線的な関係にあるダイオード４２のＶＦ特性を検出温度に反映することが困難である。そのため、温度モニタ４０は、ダイオード４２のＶＦ特性を検出温度にリニアに反映することができるＡ／Ｄ変換器４３を備える構成であることが好ましい。
【００１９】
電源出力装置１０は、さらに制御回路５０を備える。制御回路５０は、メモリ５１、演算回路５２などを備える。メモリ５１は、記憶部の一例であり、複数の温度データセットＤ１，Ｄ２，・・・を記憶している。温度データセットＤは、１つの出力電圧Ｖａの設定値、１つの閾値電圧ＶｃＨの設定値、１つの閾値電圧ＶｃＬの設定値を一組とする温度に関するデータ群である。温度データセットＤは、それぞれ異なる温度ごとに規定されており、例えば、低温度に適した温度データセットＤ、常温度に適した温度データセットＤ、高温度に適した温度データセットＤなどが予め規定されている。演算回路５２は、特定部の一例であり、メモリ５１に記憶されている複数の温度データセットＤのうち、温度モニタ４０から入力される温度に対応する温度データセットＤを特定する。調整回路１３は、演算回路５２の演算により特定された温度データセットＤが規定する閾値電圧ＶｃＨ，ＶｃＬとなるように分圧回路１７のスイッチ部２２を制御することが可能である。
【００２０】
次に、電源出力装置１０の動作の一例を説明する。図３に例示するように、出力用基準電圧Ｖｂ、異常検出用基準電圧Ｖｄには、温度特性や素子特性などの要因によりばらつき公差が生じる。この場合、１Ｖの出力用基準電圧Ｖｂおよび１Ｖの異常検出用基準電圧Ｖｄに対し、それぞれ±２０ｍＶのばらつきが生じている。このように出力用基準電圧Ｖｂにばらつきが生じている場合、図４に例示するように、出力電圧Ｖａには、４．９〜５．１Ｖのばらつきが生じることとなる。また、閾値電圧ＶｃＨは、１Ｖの異常検出用基準電圧Ｖｄが例えば５．２倍増幅された５．２Ｖが標準値となり、公差を考慮すると、５．１〜５．３Ｖのばらつきが生じる。また、閾値電圧ＶｃＬは、１Ｖの異常検出用基準電圧Ｖｄが例えば４．８倍増幅された４．８Ｖが標準値となり、公差を考慮すると、４．７〜４．９Ｖのばらつきが生じる。よって、電源出力装置１０により駆動される駆動対象装置の動作保証範囲Ｒは、４．７〜５．３Ｖとなる。なお、駆動対象装置としては、例えばマイクロコンピュータや各種の半導体装置などが考えられる。
【００２１】
ところで、近年では、この種の電源出力装置により電源が供給される駆動対象装置の動作保証範囲は、例えば用途に応じて狭く設計される傾向があり、よりセンシティブになっている。そのため、動作保証範囲が狭い駆動対象装置にも対応できる電源出力装置を提供することが求められている。
【００２２】
そこで、電源出力装置１０では、異常検出用基準電圧Ｖｄの温度特性を出力用基準電圧Ｖｂの温度特性に合わせるように調整することにより、出力電圧Ｖａの公差および閾値電圧Ｖｃの公差を抑制して、動作保証範囲を狭くするようにしている。即ち、図５に例示するように、調整回路１３は、出力用基準電圧Ｖｂの温度特性が最大値側にばらついている場合には、例えば異常検出用基準電圧Ｖｄの温度特性も最大値側になるように補正する。一方、図６に例示するように、調整回路１３は、出力用基準電圧Ｖｂの温度特性が最小値側にばらついている場合には、例えば異常検出用基準電圧Ｖｄの温度特性も最小値側になるように補正する。例えばこのように異常検出用基準電圧Ｖｄの温度特性を補正することで、図７に例示するように、閾値電圧ＶｃＨが最小値側にシフトさせ、閾値電圧ＶｃＬが最大値側にシフトさせるように調整する。これにより、出力電圧Ｖａのばらつき範囲と閾値電圧ＶｃＨ，ＶｃＬのばらつき範囲とがオーバーラップするようになり、動作保証範囲Ｒを狭くすることができる。
【００２３】
即ち、図７に例示する場合においては、閾値電圧回路１５では、異常検出用基準電圧Ｖｄの増幅率が５．１倍となるように分圧回路１７のスイッチ部２２を選択する。また、閾値電圧回路１６では、異常検出用基準電圧Ｖｄの増幅率が４．９倍となるように分圧回路１７のスイッチ部２２を選択する。これにより、閾値電圧ＶｃＨは、１Ｖの異常検出用基準電圧Ｖｄが５．１倍増幅された５．１Ｖが標準値となり、公差を考慮すると、５．０〜５．２Ｖのばらつきとなる。また、閾値電圧ＶｃＬは、１Ｖの異常検出用基準電圧Ｖｄが４．９倍増幅された４．９Ｖが標準値となり、公差を考慮すると、４．８〜５．０Ｖのばらつきとなる。よって、動作保証範囲Ｒは、４．８〜５．２Ｖとなり、上述した４．７〜５．３Ｖの動作保証範囲Ｒに比べ０．２Ｖ狭くすることができる。よって、より動作保証範囲の狭い駆動対象装置に対応、つまり、電源を安定して供給することができる。
【００２４】
次に、基準電圧の温度特性の補正動作の一例について説明する。例えば電源出力装置１０の製品出荷時の検査において、まず、所定の基準温度、基準温度よりも低い低温度、基準温度よりも高い高温度の３点について、出力用基準電圧Ｖｂと異常検出用基準電圧Ｖｄとの差、即ち、ずれ量を求める。そして、３点について求めたずれ量を、電源出力装置１０が備える図示しないメモリに書き込む。なお、基準温度としては、例えば平均的な室温を設定するとよい。また、求めたずれ量を記憶するメモリとしては、メモリ５１を共用する構成としてもよい。
【００２５】
図８に例示するずれ量データによれば、低温度のずれ量ΔＶＬが小さく、高温になるほどずれ量ΔＶＳ，ΔＶＨが大きくなっている。そこで、電源出力装置１０は、分圧回路１７においてオンするスイッチ部２２を選択することにより、図９に例示するように、異常検出用基準電圧Ｖｄの温度特性を出力用基準電圧Ｖｂの温度特性に合わせていく。このように、電源出力装置１０は、出力用基準電圧Ｖｂの温度特性と異常検出用基準電圧Ｖｄの温度特性とのずれ量ΔＶを抑える。即ち、電源出力装置１０は、所定の基準温度、基準温度よりも低い低温度、基準温度よりも高い高温度において、出力用基準電圧Ｖｂと異常検出用基準電圧Ｖｄとの差が等しくなるように異常検出用基準電圧Ｖｄを調整する。
【００２６】
独立した２種類の基準電圧に基づいて出力電圧Ｖａを制御する場合、これら２種類の基準電圧にずれが生じていると、生成される出力電圧Ｖａそのものにばらつきが生じたり、出力電圧Ｖａの異常を検出するための閾値電圧ＶｃＨ，ＶｃＬにばらつきが生じたりして、精度を確保することが困難である。電源出力装置１０によれば、出力用基準電圧Ｖｂの温度特性と異常検出用基準電圧Ｖｄの温度特性とのずれ量ΔＶを抑えることがき、生成される出力電圧Ｖａにばらつきが生じたり、閾値電圧ＶｃＨ，ＶｃＬにばらつきが生じたりすることを回避することができる。よって、出力電圧Ｖａが安定するとともに閾値電圧ＶｃＨ，ＶｃＬも安定し、出力電圧Ｖａの異常検出精度を向上することができる。
【００２７】
上述した基準電圧の温度特性の補正動作において、電源出力装置１０は、異常検出用基準電圧Ｖｄの温度特性そのものは調整しない。即ち、電源出力装置１０は、スイッチ部２２の選択動作により閾値電圧Ｖｃを調整することにより、異常検出用基準電圧Ｖｄの温度特性そのものを調整した場合と実質的に同様の閾値電圧Ｖｃを出力する。なお、電源出力装置１０は、異常検出用基準電圧Ｖｄの温度特性そのものを調整する構成としてもよい。この構成によっても、出力電圧Ｖａのばらつきや閾値電圧ＶｃＨ，ＶｃＬのばらつきを抑えることができ、出力電圧Ｖａの異常検出精度を向上することができる。
【００２８】
（第２実施形態）
本実施形態では、電源出力回路１４は、出力用基準電圧Ｖｂに基づき出力する出力電圧Ｖａの大きさをリニアに可変させることが可能な構成となっている。電源出力装置１０は、電源出力回路１４により、出力電圧Ｖａの値を例えば４Ｖ〜６Ｖにわたって変化させる。そして、コンパレータ３１が反転する出力電圧Ｖａの値を求める。例えば、出力用基準電圧Ｖｂの温度特性と異常検出用基準電圧Ｖｄの温度特性とがずれていない場合における理想的な閾値電圧ＶｃＨが５．２Ｖであるとすると、この場合のコンパレータ３１の理想反転電圧は５．２Ｖである。理想反転電圧は、出力用基準電圧Ｖｂの温度特性と異常検出用基準電圧Ｖｄの温度特性とがずれていない場合においてコンパレータ３１を反転させることが期待される理想的な電圧である。
【００２９】
ここで、出力用基準電圧Ｖｂの温度特性と異常検出用基準電圧Ｖｄの温度特性とがずれている場合には、出力電圧Ｖａの値を例えば４Ｖ〜６Ｖにわたって変化させたときに、例えば５．３Ｖでコンパレータ３１が反転する。この場合、閾値電圧ＶｃＨが理想よりも高くなっていることを意味する。そこで、電源出力装置１０は、実際の反転出力である５．３Ｖと理想的な反転出力である５．２Ｖとの差を調整するために、閾値電圧回路１５の分圧回路１７の分圧比が低くなるようにスイッチ部２２の切り替えを行う。即ち、電源出力装置１０は、コンパレータ３１が理想的な反転出力である５．２Ｖで反転するように、閾値電圧ＶｃＨを調整する。
【００３０】
本実施形態によれば、出力電圧Ｖａの高電圧側の異常を検出するための閾値電圧ＶｃＨを理想的な値に調整することができ、出力電圧Ｖａの高電圧側の異常検出精度の向上を図ることができる。なお、詳しい説明は省略するが、低電圧側の閾値電圧ＶｃＬも同様に調整することにより、出力電圧Ｖａの低電圧側の異常検出精度の向上も図ることができる。
【００３１】
（第３実施形態）
図１０に例示するように、低温度から高温度にかけて出力用基準電圧Ｖｂがフラットでなく傾斜した温度特性となっている場合も有り得る。即ち、低温度における出力用基準電圧Ｖｂと高温度における出力用基準電圧Ｖｂが等しくない場合も有り得る。このような温度特性を示す出力用基準電圧Ｖｂに対しては、高温度における異常検出用基準電圧Ｖｄの補正動作と低温度における異常検出用基準電圧Ｖｄの補正動作とを異ならせる必要があり、異常検出用基準電圧Ｖｄを出力用基準電圧Ｖｂに合わせることが困難である。
【００３２】
そこで、図１１に例示する電源出力装置１０は、さらに、出力用基準電圧Ｖｂの温度特性を補正する補正回路６０を備える。補正回路６０は、図１２に例示するように、低温度における出力用基準電圧Ｖｂと高温度における出力用基準電圧Ｖｂが等しくなるように、当該出力用基準電圧Ｖｂを補正する機能を有する。補正回路６０により補正処理が施された出力用基準電圧Ｖｂは、低温度から高温度にかけてフラットな温度特性を示すようになる。そして、調整回路１３は、異常検出用基準電圧Ｖｄの温度特性を、補正された出力用基準電圧Ｖｂの温度特性に合わせる。
【００３３】
補正回路６０による補正処理が施された出力用基準電圧Ｖｂに対しては、高温度における補正動作と低温度における補正動作とを異ならせる必要が無く、従って、出力用基準電圧Ｖｂに対し異常検出用基準電圧Ｖｄを合わせやすい。よって、低温度から高温度にかけて出力用基準電圧Ｖｂと異常検出用基準電圧Ｖｄとの差を等しくする異常検出用基準電圧Ｖｄの調整処理を、より容易に行うことができる。
【００３４】
（その他の実施形態）
本発明は、上述した実施形態に限定されるものではなく、その要旨を逸脱しない範囲で種々の実施形態に適用可能である。
温度モニタ４０は、ダイオード４２に代えて、例えば抵抗など、温度変化に対して直線的な関係を示す特性のものを備えることができる。
電源出力装置１０は、異常検出用基準電圧の温度特性そのものを出力用基準電圧の温度特性に合わせる専用の調整回路を備える構成としてもよい。
【符号の説明】
【００３５】
図面中、１０は電源出力装置、１１は出力用基準電圧回路、１２は異常検出用基準電圧回路、１３は調整回路、１７は分圧回路、１８は固定抵抗部、１９は可変抵抗部、２０は抵抗、２１はスイッチ、２２はスイッチ部、３１，３２はコンパレータ、４０は温度モニタ、５１はメモリ（記憶部）、５２は演算回路（特定部）、６０は補正回路を示す。
【図１】
2017028901.tif 000003
【図２】
2017028901.tif 000004
【図３】
2017028901.tif 000005
【図４】
2017028901.tif 000006
【図５】
2017028901.tif 000007
【図６】
2017028901.tif 000008
【図７】
2017028901.tif 000009
【図８】
2017028901.tif 000010
【図９】
2017028901.tif 000011
【図１０】
2017028901.tif 000012
【図１１】
2017028901.tif 000013
【図１２】
2017028901.tif 000014